(57)【要約】      （修正有）【課題】鯉飾り体が支持される位置の自由度を高めることができる取付シートを提供する。【解決手段】表面２４及び裏面の両主表面を有し、鯉を形取った鯉飾り体を表面２４側に取り付けるため該鯉飾り体を係止する係止手段４１を有する取付シートである。前記取付シートの前記表面２４に、太陽２５ａ及び雲２５ｃの一方又は両方が青地２５ｆに描かれているものであってもよい。前記取付シートの前記表面２４に、文字、図形、模様２５ｂ及び記号よりなる群より選ばれる１又は２以上のものが描かれているものであってもよい。【選択図】図１
0003194696.tif 000002
【実用新案登録請求の範囲】
【請求項１】
表面及び裏面の両主表面を有し、鯉を形取った鯉飾り体を表面側に取り付けるため該鯉飾り体を係止する係止手段を有する取付シート。
【請求項２】
前記取付シートの前記表面に、太陽及び雲の一方又は両方が青地に描かれているものである、請求項１に記載の取付シート。
【請求項３】
前記取付シートの前記表面に、文字、図形、模様及び記号よりなる群より選ばれる１又は２以上のものが描かれているものである、請求項１又は２に記載の取付シート。
【請求項４】
前記取付シートが少なくとも３以上の前記係止手段を有してなり、
前記表面が平面に沿うよう配置したとき、該少なくとも３以上の係止手段から選択した３の係止手段が前記鯉飾り体を係止する位置である３の係止位置を結ぶと三角形が形成される該３の係止手段を選択可能なものである、請求項１乃至３のいずれか１に記載の取付シート。
【請求項５】
前記表面側にポケットが形成されているものである、請求項１乃至４のいずれか１に記載の取付シート。
【請求項６】
前記係止手段が、前記取付シートの前記表面に取り付けられたボタン、面ファスナー、磁石、磁性体、フックのいずれかである、請求項１乃至５のいずれか１に記載の取付シート。
【請求項７】
請求項１乃至６のいずれか１に記載の前記取付シートと、
該取付シートが有する前記係止手段に係止可能な鯉飾り体と、
を含んでなる鯉飾りセット。
【請求項８】
前記表面が鉛直になるように前記取付シートが支持された状態において、形取られた鯉が水平状態になるように鯉飾り体を前記係止手段に係止可能なものである、請求項７に記載の鯉飾りセット。
【請求項９】
前記取付シートの前記表面側にポケットが形成されているものであり、
一部が該ポケットに収容可能な装飾物を含むものである、請求項７又は８に記載の鯉飾りセット。
【請求項１０】
前記装飾物が、空を飛行する動物又は植物を形取ったものである、請求項９に記載の鯉飾りセット。
【請求項１１】
前記装飾物が、空を飛行する鳥又は昆虫を形取ったものである、請求項１０に記載の鯉飾りセット。
【考案の詳細な説明】
【技術分野】
【０００１】
本考案は、鯉を形取った鯉飾り体の取付シートに関し、より詳細には、鯉を形取った鯉飾り体を表面側に取り付けることができる鯉飾り体の取付シートに関する。
【背景技術】
【０００２】
鯉幟等のような鯉飾り体は男の子の成長を祝って端午の節句に設置されるものであり、以前から室外（屋外）に立設されるものが知られていたが、近年は住宅事情の変化等から室内に配設されるものも提供されている（例えば、特許文献１参照）。
特許文献１には、「コンパクトに収納することができるとともに、容易に組み立てることができ、安定して設置することができる基台を備えた室内鯉のぼりセットの提供を目的」（特許文献１、考案の詳細な説明中、段落番号０００８）としてなされたものであり、具体的には「鯉のぼりと、これを支える支柱と、設置面に設置され、前記支柱を支持可能な基台を備えた室内鯉のぼりセットであって、前記基台を、上側基台構成部材と、該上側基台構成部材の下側に有する下側基台構成部材とで構成し、前記基台を、前記上側基台構成部材と前記下側基台構成部材との双方が設置面に設置した状態でこれら基台構成部材が互いに交差する交差部分を有する平面視クロス形状で構成し、前記基台には、前記交差部分において互いに分離可能に嵌合する嵌合部を構成したことを特徴とする」（特許文献１、考案の詳細な説明中、段落番号０００９）ものが開示されている。かかる室内鯉のぼりセットによれば、「基台は、基台構成部材同士（上側基台構成部材と下側基台構成部材）を互いに嵌合する嵌合構成であるため、一体性に優れた構成とすることができる。また、基台は、基台構成部材部材ごとに互いに分離可能な構成であるため、不使用時には、これら基台構成部材を互いに分離して重ね合わせるなどしてコンパクトに収納することができる。前記上側基台構成部材と前記下側基台構成部材とは、嵌合により一体にできるため、例えば、ボルトやナットなどを用いるよりも容易に一体にしたり分離したりすることができる。前記基台は、前記上側基台構成部材と前記下側基台構成部材とが互いに交差した状態でこれら基台構成部材の双方が設置面に設置するため、安定して設置することができる。」（特許文献１、考案の詳細な説明中、段落番号００１０〜００１２）というものである。
また、本出願人も、これまでに種々の発明や考案をなしてきた（特許文献２〜５）。
【先行技術文献】
【特許文献】
【０００３】
【特許文献１】実用新案登録第３１５５５１１号公報（例えば、要約、段落番号０００１〜００１２、第１図〜第３図等）
【特許文献２】特開２００１−１０４１４６号公報
【特許文献３】特開２００１−５４４６１号公報
【特許文献４】実用新案登録第３１５５０９８号公報
【特許文献５】実用新案登録第３１１７８０６号公報
【考案の概要】
【考案が解決しようとする課題】
【０００４】
特許文献１に開示されたような従来の鯉飾り体（特許文献１においては鯉のぼり）においては、鯉飾り体が１本の支柱又はロープ等によって支持されるものであった（例えば、特許文献１においては鯉のぼり６ａ〜６ｃが１本の支柱２３に取り付けられている。）。
このように鯉飾り体が１本の支柱又はロープ等によって支持されるものにおいては、鯉飾り体の取付位置が支柱又はロープ等に沿うものであることから、鯉飾り体の取付位置が制限され自由度が低いものであった（このように鯉飾り体の取付位置が制限され自由度が低いことにより面白みに欠ける場合もあった。）。
そこで、本考案では、鯉飾り体が支持される位置の自由度を高めることができるものを提供することを目的とする。
【課題を解決するための手段】
【０００５】
本考案は、表面及び裏面の両主表面を有し、鯉を形取った鯉飾り体を表面側に取り付けるため該鯉飾り体を係止する係止手段を有する取付シート（以下、「本取付シート」という。）を提供する。
本取付シートは、表面及び裏面の両主表面を有すると共に、係止手段を有する。係止手段は、本取付シートの表面側に鯉飾り体を取り付けるよう該鯉飾り体を係止する。鯉飾り体は、鯉を形取ったものであり（特許文献１にいう鯉のぼり）、このような鯉を形取った鯉飾り体を本取付シートの表面側に取り付けることで、従来の鯉幟と同様に鯉を形取った鯉飾り体を飾り付け鯉飾りを形成することができる（これにより、本取付シートに取り付けた鯉飾り体は従来の鯉幟と同様の目的に使用されることができる。）。そして、本取付シートにおける係止手段の位置に応じて本取付シートの表面に沿った様々な位置に鯉飾り体を取り付けることができるので、本取付シートによれば鯉飾り体が支持される位置の自由度を高めることができる。
【０００６】
本取付シートにおいては、前記取付シートの前記表面に、太陽及び雲の一方又は両方が青地に描かれているものであってもよい。
こうすることで鯉飾り体が取り付けられる本取付シートの前記表面には、青色の地に太陽及び雲の一方又は両方が描かれている。このため青色の地に太陽及び雲の一方又は両方が描かれた青空に似た景色をバックに鯉飾り体を取り付け飾ることができるので、青空に鯉幟が泳いでいるのに似た光景を作り出すことにより、鯉飾り体を取り付けた本取付シートによって効果的な装飾を行うことができる。
【０００７】
本取付シートにおいては、前記取付シートの前記表面に、文字、図形、模様及び記号よりなる群より選ばれる１又は２以上のものが描かれているものであってもよい。
こうすることで鯉飾り体が取り付けられる本取付シートの前記表面に、文字、図形、模様及び記号よりなる群より選ばれる１又は２以上のものが描かれるので、描く文字、図形、模様及び記号を適宜選択することで、鯉飾り体を取り付けた本取付シートによる装飾効果を高めることができる。
【０００８】
本取付シートにおいては、前記取付シートが少なくとも３以上の前記係止手段を有してなり、前記表面が平面に沿うよう配置したとき、該少なくとも３以上の係止手段から選択した３の係止手段が前記鯉飾り体を係止する位置である３の係止位置を結ぶと三角形が形成される該３の係止手段を選択可能なものであってもよい。
こうすることで本取付シートの前記表面が平面に沿うよう配置した場合、本取付シートが有する少なくとも３以上の前記係止手段が鯉飾り体を係止する係止位置のいずれか３個が三角形の頂点を形成するので、鯉飾り体を１本の支柱又はロープ等によって支持する従来のものと異なり、面に沿って鯉飾り体を異なる位置に取り付けることにより斬新な装飾状態を提供することができる。
【０００９】
本取付シートにおいては、前記表面側にポケットが形成されているものであってもよい。
こうすることで鯉飾り体が取り付けられる本取付シートの前記表面側に形成されたポケットに、種々のものを収容することで本取付シートの使用を便ならしめたり、装飾物の一部を該ポケット内部に収容することにより該装飾物を本取付シートに支持させ装飾物の残部を該ポケット外部に露出させることで該残部による装飾効果を発揮させることもできる。
【００１０】
本取付シートにおいては、前記係止手段が、前記取付シートの前記表面に取り付けられたボタン、面ファスナー、磁石、磁性体、フックのいずれかであってもよい。
かかるボタン、面ファスナー（互いに係合する一対の面ファスナーのうちの一方を本取付シートの前記表面に取り付けると共に他方を鯉飾り体の表面に取り付ける。）、磁石（鯉飾り体には該磁石が吸引する磁石又は磁性体を取り付ける。）、磁性体（鯉飾り体には該磁性体を吸引する磁石を取り付ける。）、フック（互いに係合する一対のフックのうちの一方を本取付シートの前記表面に取り付けると共に他方を鯉飾り体の表面に取り付ける。また、本取付シートの前記表面にフックを取り付け、鯉飾り体には該フックと係合するもの（例えば、リング状部材や環状になった線材）を取り付けてもよい。）を前記係止手段にすることで、本取付シートの構成を容易かつ廉価にすることができると共に、鯉飾り体の係止手段への係脱を容易かつ迅速に行うことができる。
【００１１】
本考案は鯉飾りセット（以下、「本セット」という。）も提供する。
即ち、本セットは、本取付シートと、本取付シートが有する前記係止手段に係止可能な鯉飾り体と、を含んでなる鯉飾りセットである。
かかる本セットは、本取付シートが有する前記係止手段に係止可能な鯉飾り体と、本取付シートと、を含んでなるので、本セットを用いれば本取付シートに鯉飾り体を係止させ鯉飾りを形成することができ便利である。
【００１２】
本セットにおいては、前記表面が鉛直になるように前記取付シートが支持された状態において、形取られた鯉が水平状態になるように鯉飾り体を前記係止手段に係止可能なものであってもよい。
こうすることで本取付シートの前記表面が鉛直になるように本取付シートが支持された状態において、本取付シートの前記係止手段に係止された鯉飾り体が水平状態（鯉飾り体が垂れ下がったりすることなく、鯉飾り体が水平な鯉を形取っている）を保つことができるので、本取付シートが通常配置されることが多い前記表面が鉛直をなす場合においても、水平方向に泳いでいる鯉を形取った鯉飾り体とすることができ、生き生きとした鯉飾り体により効果的な装飾を行うことができる。
【００１３】
本セットにおいては、前記取付シートの前記表面側にポケットが形成されているものであり、一部が該ポケットに収容可能な装飾物を含むもの（以下、「装飾物含み本セット」という。）であってもよい。
こうすることで、鯉飾り体が取り付けられる本取付シートの前記表面側に形成されたポケットの内部に、装飾物の一部を収容することにより該装飾物を本取付シートに支持させると共に装飾物の残部を該ポケットの外部に露出させて該残部による装飾効果を発揮させることができる。
【００１４】
装飾物含み本セットにおいては、前記装飾物が、空を飛行する動物又は植物を形取ったもの（以下、「動植物装飾物含み本セット」という。）であってもよい。
こうすることで鯉幟が泳ぐ空を飛行する動物（例えば、鳥、昆虫）又は植物（例えば、タンポポの種）を形取った装飾物を本取付シートの前記表面側に配置することができるので、鯉幟が泳ぐ空に似た光景を本セットにより一層うまく作り出すことができ、効果的な装飾を行うことができる。
【００１５】
動植物装飾物含み本セットにおいては、前記装飾物が、空を飛行する鳥又は昆虫を形取ったものであってもよい。
このように鯉幟が泳ぐ空を飛行する鳥又は昆虫を形取った装飾物を本取付シートの前記表面側に配置することができるので、注目を集めやすい鳥や昆虫を形取った装飾物によって鯉飾りの看者の興味をかき立てることができる。
【図面の簡単な説明】
【００１６】
【図１】本考案の一実施形態の鯉飾りセット（本セット）に含まれるシート部の正面図である。
【図２】シート部が有するポケット部の拡大図である。
【図３】シート部が有するボタン部の拡大図である。
【図４】本考案の一実施形態の鯉飾りセット（本セット）を構成する鯉幟（鯉飾り体）を示す図である。
【図５】本セットの使用方法の第２ステップを示す図である。
【図６】本セットの使用方法の第３ステップを示す図である。
【考案を実施するための形態】
【００１７】
本考案の実施の形態を図面を参照して詳述するが、本考案はこれに限定されるものではない。
【００１８】
図１は、本考案の一実施形態の鯉飾りセット（本セット）に含まれるシート部２１の正面図であり、図２はシート部２１が有するポケット部３１の拡大図（詳細には、図２（ａ）はポケット部３１の拡大正面図（図１と同じ方向から見ている）であり、図２（ｂ）は図２（ａ）のＡ−Ａ断面図である。）であり、そして図３はシート部２１が有するボタン部４１の拡大図（詳細には、図３（ａ）はボタン部４１の拡大正面図（図１と同じ方向から見ている）であり、図３（ｂ）は図３（ａ）のＢ−Ｂ断面図である。）である。図１乃至図３を参照してシート部２１について説明する。なお、ここではシート部２１を壁１０１（ここでは室内を規定する鉛直な壁）に４個の画鋲２０１にて取り付けたところを示している。
シート部２１は、大まかには、シート部本体２３と、シート部本体２３に取り付けられたポケット部３１と、シート部本体２３に取り付けられたボタン部４１と、を含んでなる。なお、ここではポケット部３１は複数（具体的には３個）形成されているが、そのいずれも同様の構造を有している。また、ボタン部４１も複数（具体的には８個）形成されているが、そのいずれも同様の構造を有している。
【００１９】
シート部本体２３は、ここでは両主表面（表面２４及び裏面２６）が長方形状（ここでは略正方形状）を略なす布により構成されており、該両主表面のうちの一主表面である表面２４には所定の図柄が描かれている（裏面２６は無模様である）。ここでは該所定の図柄は、具体的には、青地を形成する晴天２５ｆを背景にして太陽２５ａ、虹２５ｂ、雲２５ｃ、音符記号２５ｄ及びト音記号２５ｅが描かれたものであるが、このシート部本体２３の表面２４に描かれる図柄はこれに限らず様々なものとできるし、シート部本体２３の表面２４に図柄が描かれないものであってもよい。
【００２０】
ポケット部３１は、シート部本体２３の表面２４に面するように配置されたポケット布３３と、ポケット布３３をシート部本体２３に縫い付ける縫い付け糸３５と、を有してなる。ポケット布３３は、ここでは半円形状の主表面を有する布により形成されており、半円の円弧に沿って縫い付け糸３５によりシート部本体２３に縫い付けられている。また、ポケット布３３の主表面が形成する半円の弦（直径に沿った部分）に沿った部分はシート部本体２３に縫い付けられておらず、これにより該弦に沿った部分に、外部３０１とポケットの内部空間３６とを連通させるポケット口３７が形成されている（特に図２（ｂ）参照）。
ポケット部３１は、後述の如く、主として縫いぐるみを係止するためのものである。
【００２１】
ボタン部４１は、シート部本体２３の表面２４に面するように配置されたボタン本体４３と、ボタン本体４３をシート部本体２３に縫い付ける縫い付け糸４５と、を有してなる。
ボタン部４１は、後述の如く、主として鯉幟５１を係止するために用いるものであるが、鯉幟５１をシート部本体２３に係止できるものであれば必ずしもボタンを用いる必要はなくそれ以外のものであってもよい。具体的には、面ファスナー（互いに係合する一対の面ファスナーのうちの一方をシート部本体２３の表面２４に取り付けると共に他方を鯉幟５１の表面に取り付ける。）、フック（互いに係合する一対のフックのうちの一方をシート部本体２３の表面２４に取り付けると共に他方を鯉幟５１の表面に取り付ける。また、表面２４と鯉幟５１表面との一方にフックを取り付け、他方には該フックと係合するもの（例えば、リング状部材や環状になった線材）を取り付けてもよい。）、磁石（表面２４と鯉幟５１表面との一方に磁石を取り付け、他方には該磁石が吸引するもの（例えば、該磁石とは反対の極を有する磁石や鋼材）を取り付ける。）等を例示的に挙げることができる。
【００２２】
図４（ａ）は、本考案の一実施形態の鯉飾りセット（本セット）を構成する鯉幟５１（鯉飾り体）の正面図であり、図４（ｂ）は図４（ａ）中の矢印Ｃが指している部分の部分拡大図である。図４を参照して鯉幟５１について説明する。
鯉幟５１は、大まかには、鯉幟本体５３と、鯉幟本体５３の上部（具体的には鯉幟本体５３の背中部分）に両端が取り付けられた吊り紐５５と、を有してなる。
鯉幟本体５３は、室内において無風状態でも力無く垂れ下がることを防止又は減少させ、立体的な形状を保つことができる実用新案登録第３１１７８０６号に開示の室内用鯉のぼり（実用新案登録第３１１７８０６号中の鯉部２０１）を用いているが、一般的な室内用鯉のぼりを用いることもできる。そして、ここでは図示や理解を容易にするため鯉幟本体５３に付される模様や一部の構造の図示を省略している。
吊り紐５５は、鯉幟５１をシート部２１のボタン部４１に吊り下げるためのものであり、一端５５ａが鯉幟本体５３の前側（鯉幟の口５３ａ側）に取り付けられると共に他端５５ｂが鯉幟本体５３の後側（鯉幟の尾びれ５３ｂ側）に取り付けられている。このような吊り紐５５を、図４（ｂ）中に点線にて示したボタン部４１に引っかけることで、鯉幟５１を吊り下げることができる。
【００２３】
次いで、シート部２１と鯉幟５１とを含んでなる本セットの使用方法について説明する。なお、ここでは本セットは、シート部２１及び鯉幟５１に加え、後述のように縫いぐるみ４０１と吹き流し６１とを含んでいる。
本セットの使用方法の第１ステップは、前述の図１に示したようにシート部２１を壁１０１に取り付ける。図１においては、４個の画鋲２０１をシート部本体２３の四隅近傍（シート部本体２３の表面２４が形成する長方形（ここでは略正方形）の角部近傍）に打ち込むことでシート部２１を壁１０１に取り付け固定しているが、画鋲２０１の個数は４個に限定されるものではなく適宜増減してもよく、さらに画鋲２０１の位置も適宜変更されてよい。加えて、シート部２１を壁１０１に取り付け固定する手段は、画鋲２０１に限定されるものではなく、画鋲に替え又は画鋲と共にステープラー、接着剤、釘やねじ等の金具、フック、面ファスナー等を用いることもできる。
【００２４】
図５は、本セットの使用方法の第２ステップを示す図である。
第２ステップにおいては、上述の第１ステップにて壁１０１に取り付けられたシート部２１が有するポケット部３１に、縫いぐるみ４０１を係止する。
ここでは縫いぐるみ４０１として同形同大の同一のもの３個を用いており、具体的には、飛んでいる鳥（カモメ）の形状をなすものを用いている。そして、飛んでいる鳥（カモメ）の形状をなす縫いぐるみ４０１のうち、該鳥の右翼の先端側の部分をポケット部３１のポケット口３７からポケット内部空間３６へ挿入することで図５に示すようにポケット部３１に縫いぐるみ４０１を係止する（縫いぐるみ４０１は右翼が固定されることで、全体の形状を保つことができるものを用いている。）。
なお、ここではポケット部３１全てに縫いぐるみ４０１を係止しているが、ポケット部３１の一部のみに縫いぐるみ４０１を係止してもよく、更にポケット部３１に係止するものは鳥形状の縫いぐるみに限定されるものではなく別の形状の縫いぐるみや、縫いぐるみと異なるもの（例えば、装飾品）であってもよい。
【００２５】
図６は、本セットの使用方法の第３ステップを示す図である。
第３ステップにおいては、上述の第１ステップにて壁１０１に取り付けられたシート部２１が有するボタン部４１に鯉幟５１を係止する。なお、ここでは鯉幟５１と共に吹き流し６１もボタン部４１に係止している。吹き流し６１は、鯉幟５１に比して鯉幟本体５３とは形状や模様が異なる吹き流し本体６３を有しているが、吹き流し本体６３の上部に両端が取り付けられた吊り紐６５については吊り紐５５と同様である。また、吹き流し本体６３は、室内において無風状態でも力無く垂れ下がることを防止又は減少させ、立体的な形状を保つことができる実用新案登録第３１１７８０６号に開示の室内用鯉のぼり（実用新案登録第３１１７８０６号中の吹き流し部６０）を用いているが、一般的な室内用鯉のぼりの吹き流しを用いることもできる。そして、ここでは図示や理解を容易にするため吹き流し本体６３に付される模様や一部の構造の図示を省略している。
鯉幟５１及び吹き流し６１のいずれも、ボタン部４１のボタン本体４３とシート部本体２３の表面２４との間の隙間４９（図３（ｂ）参照）に吊り紐５５、６５を引っかけることでボタン部４１に係止されている。
また、ここではボタン部４１の一部である４個のボタン部４１ｂに鯉幟５１及び吹き流し６１が係止されており、残部である４個のボタン部４１ａには鯉幟５１及び吹き流し６１のいずれも係止されていないがこれに限定されるものではなく、８個のボタン部４１のうちから自由に選択されたボタン部４１に鯉幟５１及び吹き流し６１を係止させることができると共に（鯉幟５１及び吹き流し６１の位置を自由に変更できる）、鯉幟５１及び吹き流し６１の個数も自由に増減させることができる。
以上のようにして、壁１０１に取り付けられたシート部２１に対して縫いぐるみ４０１、鯉幟５１及び吹き流し６１を係止させることで鯉飾りが完成される。
【００２６】
以上説明した通り、シート部２１は、表面２４及び裏面２６の両主表面を有し、鯉を形取った鯉飾り体（ここでは鯉幟５１）を表面２４側に取り付けるため該鯉飾り体（鯉幟５１）を係止する係止手段（ここではボタン部４１）を有する取付シートである。
そして、前記取付シート（シート部２１）の前記表面２４に、太陽２５ａ及び雲２５ｃの一方又は両方（ここでは太陽２５ａ及び雲２５ｃの両方）が青地（晴天２５ｆ）に描かれているものである。
加えて、前記取付シート（シート部２１）の前記表面２４に、文字、図形、模様（ここでは虹２５ｂ）及び記号（ここでは音符記号２５ｄ及びト音記号２５ｅ）よりなる群より選ばれる１又は２以上のものが描かれているものである。
【００２７】
また、前記取付シート（シート部２１）が少なくとも３以上の前記係止手段（ここでは８のボタン部４１）を有してなり、前記表面２４が平面に沿うよう配置したとき（例えば、図１、図５及び図６の状態）、該少なくとも３以上の係止手段（８のボタン部４１）から選択した３の係止手段（３のボタン部４１）が前記鯉飾り体（鯉幟５１）を係止する位置である３の係止位置（ボタン本体４３とシート部本体２３表面２４との間の隙間４９）を結ぶと三角形が形成される該３の係止手段（３のボタン部４１）を選択可能なものである（例えば、図１におけるボタン部４１ｘ、４１ｙ、４１ｚを該３の係止手段（３のボタン部４１）として選択すれば、これら各々の係止位置（ボタン本体４３とシート部本体２３表面２４との間の隙間４９）を結ぶと三角形が形成される。）。
シート部２１においては、前記表面２４側にポケット（ポケット部３１）が形成されているものである。
シート部２１においては、前記係止手段（ボタン部４１）が、前記取付シートの前記表面に取り付けられたボタン、面ファスナー、磁石、磁性体、フックのいずれかである（ここではボタンである）。
【００２８】
ここでは本セットは、前記取付シート（シート部２１）と、該取付シート（シート部２１）が有する前記係止手段（ボタン部４１）に係止可能な鯉飾り体（ここでは鯉幟５１）と、を含んでなる鯉飾りセットである。
本セットにおいては、前記表面２４が鉛直になるように前記取付シート（シート部２１）が支持された状態（例えば、図１、図５及び図６の状態）において、形取られた鯉が水平状態になるように鯉飾り体（鯉幟５１）を前記係止手段（ボタン部４１）に係止可能なものである（該状態において鯉飾り体（鯉幟５１）は、（通常の鯉のぼりが無風状態でだらりと垂れ下がるのに対し）水平方向に泳ぐ水平状態の鯉を形取ったものになっている。）。
本セットにおいては、前記取付シート（シート部２１）の前記表面２４側にポケット（ポケット部３１）が形成されているものであり、一部（ここでは縫いぐるみ４０１が形取った鳥の右翼の先端側部分）が該ポケット（ポケット部３１）に収容可能な装飾物（ここでは縫いぐるみ４０１）を含むものである。
本セットにおいては、前記装飾物（縫いぐるみ４０１）が、空を飛行する動物又は植物（ここでは動物たる鳥）を形取ったものである。
本セットにおいては、前記装飾物（縫いぐるみ４０１）が、空を飛行する鳥又は昆虫（ここでは鳥たるカモメ）を形取ったものである。
【符号の説明】
【００２９】
２１          シート部
２３          シート部本体
２４          表面
２５ａ        太陽（の絵）
２５ｂ        虹（の絵）
２５ｃ        雲（の絵）
２５ｄ        音符記号
２５ｅ        ト音記号
２５ｆ        晴天
２６          裏面
３１          ポケット部
３３          ポケット布
３５          縫い付け糸
３６          内部空間
３７          ポケット口
４１          ボタン部
４３          ボタン本体
４５          縫い付け糸
４９          隙間
５１          鯉幟
５３          鯉幟本体
５３ａ        鯉幟の口
５３ｂ        鯉幟の尾びれ
５５          吊り紐
５５ａ        一端
５５ｂ        他端
６１          吹き流し
６３          吹き流し本体
６５          吊り紐
１０１          壁
２０１          画鋲
３０１          外部
４０１          縫いぐるみ
【図１】
0003194696.tif 000003
【図２】
0003194696.tif 000004
【図３】
0003194696.tif 000005
【図４】
0003194696.tif 000006
【図５】
0003194696.tif 000007
【図６】
0003194696.tif 000008